(57)【要約】【課題】光沢度の高い原稿読取時においても、光源の正反射光の影響を低減した画像を高速、且つ少ない記憶容量で読み取る。【解決手段】予め定められた複数の異なる位置から読取対象に対して順次に光源が照射した光の反射光を順次に受光し、読取対象を複数回撮像して複数の読取画像をそれぞれ画素毎に出力する撮像部と、撮像部が撮像した少なくとも１つの読取画像の中で光源の正反射光による画像レベルの変化が小さいと予め定められた第１領域の第１部分読取画像を記憶する記憶部と、記憶部が第１部分読取画像を記憶した読取画像とは異なる他の読取画像の中で光源の正反射光による画像レベルの変化が小さいと予め定められた第２領域の第２部分読取画像と、第１部分読取画像とを少なくとも用いて、読取対象に対応する読取画像を合成する画像合成部と、を有する。【選択図】図５
2016032219.tif 000002
【特許請求の範囲】
【請求項１】
予め定められた複数の異なる位置から読取対象に対して順次に光源が照射した光の反射光を順次に受光し、読取対象を複数回撮像して複数の読取画像をそれぞれ画素毎に出力する撮像部と、
前記撮像部が撮像した少なくとも１つの読取画像の中で前記光源の正反射光による画像レベルの変化が小さいと予め定められた第１領域の第１部分読取画像を記憶する記憶部と、
前記記憶部が前記第１部分読取画像を記憶した読取画像とは異なる他の読取画像の中で前記光源の正反射光による画像レベルの変化が小さいと予め定められた第２領域の第２部分読取画像と、前記第１部分読取画像とを少なくとも用いて、読取対象に対応する読取画像を合成する画像合成部と、
を有することを特徴とする画像読取装置。
【請求項２】
前記画像合成部は、
読取対象を複数に分割した領域毎の部分読取画像を結合させることにより、読取対象に対応する読取画像を合成すること
を特徴とする請求項１に記載の画像読取装置。
【請求項３】
少なくとも前記第１領域及び前記第２領域には重複する領域があり、
前記画像合成部は、
前記重複する領域に対し、前記第１部分読取画像の画像レベルと前記第２部分読取画像の画像レベルとを用いて読取画像の合成を行うこと
を特徴とする請求項１に記載の画像読取装置。
【請求項４】
前記撮像部が基準となる反射光を受光した場合に出力する読取画像の画素毎の画像レベルに基づいて、前記画像合成部が合成した読取画像の画像レベルを正規化する補正を行うレベル補正部
をさらに有することを特徴とする請求項１乃至３のいずれか１項に記載の画像読取装置。
【請求項５】
前記撮像部は、
２次元の領域を撮像するエリアセンサ、又は走査によって２次元の領域を撮像するリニアセンサを有すること
を特徴とする請求項１乃至４のいずれか１項に記載の画像読取装置。
【請求項６】
請求項１乃至５のいずれか１項に記載の画像読取装置と、
前記画像読取装置の出力に基づいて画像を形成する画像形成部と
を有することを特徴とする画像形成装置。
【請求項７】
予め定められた複数の異なる位置から読取対象に対して順次に光源から光を照射し、光を照射する毎に読取対象を撮像して複数の読取画像を出力する工程と、
撮像した少なくとも１つの読取画像の中で前記光源の正反射光による画像レベルの変化が小さいと予め定められた第１領域の第１部分読取画像を記憶部が記憶する工程と、
前記記憶部が前記第１部分読取画像を記憶した読取画像とは異なる他の読取画像の中で前記光源の正反射光による画像レベルの変化が小さいと予め定められた第２領域の第２部分読取画像と、前記第１部分読取画像とを少なくとも用いて、読取対象に対応する読取画像を合成する工程と、
を含む画像読取方法。
【発明の詳細な説明】
【技術分野】
【０００１】
本発明は、画像読取装置、画像形成装置及び画像読取方法に関する。
【背景技術】
【０００２】
原稿の画像を読み取る画像読取装置には、様々なタイプのものがある。例えば、載置台等の上に原稿を上向きに載置し、原稿の読取面の上方から光を照射して、画像を撮像する画像読取装置が知られている。
【０００３】
また、特許文献１には、複数の点灯パターンを有する照明装置を備え、それぞれの点灯パターンで点灯させた状態で、点灯パターンに対応するそれぞれの画像を取得し、取得した画像を複数の領域に分割し、それぞれの領域ごとに輝度成分の値を複数の画像で比較し、それぞれの領域において輝度成分の値が最も小さい画像をその領域における画像として用いて画像を合成する撮像装置が開示されている。
【発明の概要】
【発明が解決しようとする課題】
【０００４】
従来の画像読取装置では、室内灯等の外乱光や影に対して、光源によって原稿を照明することにより、その影響を低減していた。しかしながら、原稿の材質（光沢度）によっては、読み取った画像において、光源の正反射光の影響が無視できない場合がある。また、従来は、読み取った画像における正反射光の影響を除去するために、複数の光源を個別に点灯して読み取った複数枚の画像を合成する場合、処理時間やメモリ量が膨大となってしまうという問題があった。
【０００５】
本発明は、上記に鑑みてなされたものであって、光沢度の高い原稿読取時においても、光源の正反射光の影響を低減した画像を高速、且つ少ない記憶容量で読み取ることができる画像読取装置、画像形成装置及び画像読取方法を提供することを目的とする。
【課題を解決するための手段】
【０００６】
上述した課題を解決し、目的を達成するために、本発明は、予め定められた複数の異なる位置から読取対象に対して順次に光源が照射した光の反射光を順次に受光し、読取対象を複数回撮像して複数の読取画像をそれぞれ画素毎に出力する撮像部と、前記撮像部が撮像した少なくとも１つの読取画像の中で前記光源の正反射光による画像レベルの変化が小さいと予め定められた第１領域の第１部分読取画像を記憶する記憶部と、前記記憶部が前記第１部分読取画像を記憶した読取画像とは異なる他の読取画像の中で前記光源の正反射光による画像レベルの変化が小さいと予め定められた第２領域の第２部分読取画像と、前記第１部分読取画像とを少なくとも用いて、読取対象に対応する読取画像を合成する画像合成部と、を有することを特徴とする。
【発明の効果】
【０００７】
本発明によれば、光沢度の高い原稿読取時においても、光源の正反射光の影響を低減した画像を高速、且つ少ない記憶容量で読み取ることができるという効果を奏する。
【図面の簡単な説明】
【０００８】
【図１】図１は、画像読取装置の光学系の概要を例示する正面図である。
【図２】図２は、画像読取装置の動作例を示すフローチャートである。
【図３】図３は、均一原稿（非光沢）に対して光を照射した場合に、撮像装置が撮像した読取画像の画像レベルを示すグラフである。
【図４】図４は、均一原稿（光沢）に対して光を照射した場合に、撮像装置が撮像した読取画像の画像レベルを示すグラフである。
【図５】図５は、第１実施形態にかかる画像読取装置の構成を例示するブロック図である。
【図６】図６は、画像読取装置の動作例を示すフローチャートである。
【図７】図７は、画像合成部が行う合成処理を画像レベルによって示すグラフである。
【図８】図８は、第２実施形態にかかる画像読取装置の構成を例示するブロック図である。
【図９】図９は、基準チャートに対して光を照射した場合に、画像合成部が行う合成処理と、レベル補正部が行うレベル補正とを示すグラフである。
【図１０】図１０は、実施形態にかかる画像形成装置の構成例を示す構成図である。
【発明を実施するための形態】
【０００９】
まず、本発明をするに至った背景について説明する。図１は、画像読取装置１の光学系の概要を例示する正面図である。画像読取装置１は、例えば撮像装置（撮像部）１０、第１ＬＥＤ（光源）１２、第２ＬＥＤ（光源）１４及び載置台１６を有する。
【００１０】
撮像装置１０は、例えば図示しないレンズや、反射光を受光することによって２次元の領域を撮像するエリアセンサ（イメージセンサ）などを有し、載置台１６の上方に配置されて、載置台１６上に置かれた原稿を撮像し、読取画像を画素毎に出力する。第１ＬＥＤ１２及び第２ＬＥＤ１４は、載置台１６上に置かれた原稿に対して、例えば撮像装置１０の左右からそれぞれ順次に光を照射する。載置台１６は、撮像装置１０の読取動作に支障がなければ、設けられなくてもよい。
【００１１】
なお、撮像装置１０、第１ＬＥＤ１２及び第２ＬＥＤ１４は、載置台１６に対して予め定められた位置に図示しない支柱や支持部材等で固定されている。また、撮像装置１０は、走査によって２次元の領域を撮像するリニアセンサを有し、原稿を撮像するために載置台１６の上方を移動するように構成されてもよい。
【００１２】
画像読取装置１が原稿に光を照射する目的は、上述したように撮像光学系の設置環境によって発生する室内の蛍光灯や影等による外乱の影響を除去するためである。また、画像読取装置１が有する光源は、第１ＬＥＤ１２及び第２ＬＥＤ１４の２つに限定されることなく、複数の異なる位置から原稿に光を照射する複数の光源であってもよい。
【００１３】
第１ＬＥＤ１２及び第２ＬＥＤ１４からの光は、それぞれ図１の点線に示したように、原稿上のある範囲をそれぞれ照らしている。しかし、原稿の材質や光沢度によっては、第１ＬＥＤ１２及び第２ＬＥＤ１４からの光は、原稿面上で完全には拡散反射せず、正反射光がそのまま撮像装置１０に入射される。
【００１４】
その結果、図１に示した正反射発生箇所においては、撮像装置１０が撮像した画像レベルが高くなってしまい、白とび等の画像レベル変化、ひいては飽和が発生し、例えば文字等が読めなくなる。例えば、第１ＬＥＤ１２の光照射によって、図１では原稿の左側の特定の箇所（○の箇所）に正反射が発生する。また、第２ＬＥＤ１４についても同様に反対側に正反射が発生する。
【００１５】
次に、画像読取装置１の動作について説明する。図２は、画像読取装置１が画像を読取る場合の動作例を示すフローチャートである。図２に示すように、画像読取装置１は、まず、原稿の読取開始時に第１ＬＥＤ１２を点灯する（Ｓ１００）。
【００１６】
その状態で、撮像装置１０が原稿を撮像し、図示しない記憶部が読取画像（画像データ）を蓄積する（Ｓ１０２）。ここで、撮像装置１０が撮像した画像データＤ１（ｘ，ｙ）は、第１ＬＥＤ１２が光を照射した時のｘ方向のサイズ及びｙ方向のサイズが原稿サイズの画像データとする。
【００１７】
画像読取装置１は、撮像後、第１ＬＥＤ１２を消灯し（Ｓ１０４）、第２ＬＥＤ１４を点灯する（Ｓ１０６）。
【００１８】
その状態で、撮像装置１０が原稿を撮像し、撮像した読取画像を図示しない画像合成部に対して出力する（Ｓ１０８）。ここで、撮像装置１０が撮像した画像データＤ２（ｘ，ｙ）は、第２ＬＥＤ１４が光を照射した時のｘ方向のサイズ及びｙ方向のサイズが原稿サイズの画像データとする。
【００１９】
撮像後、画像読取装置１は、第２ＬＥＤ１４を消灯する（Ｓ１１０）。
【００２０】
そして、画像読取装置１は、画像合成部によって画像データＤ１（ｘ，ｙ）と、画像データＤ２（ｘ，ｙ）とを合成する処理を行い、原稿サイズの合成画像データＤｍ（ｘ，ｙ）を生成して読取処理を終了する（Ｓ１１２）。
【００２１】
次に、画像読取装置１が撮像した（読取った）画像データＤ１（ｘ，ｙ）及び画像データＤ２（ｘ，ｙ）の画像レベルについて説明する。図３は、第１ＬＥＤ１２及び第２ＬＥＤ１４が個別に均一原稿（非光沢）に対して光を照射した場合に、撮像装置１０がそれぞれ撮像した読取画像の主走査方向の画素毎の画像レベルを示すグラフである。
【００２２】
図３（ａ）は、均一な非光沢原稿に対して第１ＬＥＤ１２が光を照射した場合に、撮像装置１０が撮像した画像データＤ１（ｘ，ｙ）の主走査方向の画像レベルの分布を示している。図３（ｂ）は、均一な非光沢原稿に対して第２ＬＥＤ１４が光を照射した場合に、撮像装置１０が撮像した画像データＤ２（ｘ，ｙ）の主走査方向の画像レベルの分布を示している。以降、説明を簡略化するために、ｙ方向（副走査方向）はすべて同じ値としてｘ方向（主走査方向）のレベル分布について説明していく。
【００２３】
画用紙などの非光沢原稿では、原稿に照射された光は拡散光として反射される。そのため、局所的に画像レベルが高くなることはなく、照射範囲の端部にいくほど原稿面での照度は低くなる。
【００２４】
図４は、第１ＬＥＤ１２及び第２ＬＥＤ１４が個別に均一原稿（光沢）に対して光を照射した場合に、撮像装置１０がそれぞれ撮像した読取画像の主走査方向の画素毎の画像レベルを示すグラフである。図４（ａ）は、均一な光沢原稿に対して第１ＬＥＤ１２が光を照射した場合に、撮像装置１０が撮像した画像データＤ１（ｘ，ｙ）の主走査方向の画像レベルの分布を示している。図４（ｂ）は、均一な光沢原稿に対して第２ＬＥＤ１４が光を照射した場合に、撮像装置１０が撮像した画像データＤ２（ｘ，ｙ）の主走査方向の画像レベルの分布を示している。
【００２５】
光沢原稿ほど、各光源（第１ＬＥＤ１２、第２ＬＥＤ１４）によって拡散反射はせず、正反射光が発生している部分は、画像レベルが変化して極端に高くなる。例えば、図４に示したように、正反射光が発生している部分は、画像レベルがフルスケール（１０ｂｉｔデータの場合には１０２３）に飽和している。
【００２６】
画像データＤ１（ｘ，ｙ）及び画像データＤ２（ｘ，ｙ）のいずれの画像においても、照明の正反射が発生している部分は白とびしているような画像になってしまう。また、仮に第１ＬＥＤ１２及び第２ＬＥＤ１４が同時に点灯したとしても白とびは解消されない。
【００２７】
画像読取装置１は、第１ＬＥＤ１２及び第２ＬＥＤ１４を順次に点灯させ、撮像装置１０が出力した２枚（複数枚）の画像データに対して、同一領域の画像データのそれぞれ輝度値の低いデータを選択することにより、輝度値の高い正反射が発生していない画像データを生成していく。
【００２８】
画像読取装置１が画像合成処理を行った後の合成画像データＤｍ（ｘ，ｙ）は下式１によって示される。
【００２９】
【数１】
2016032219.tif 000003
【００３０】
しかし、複数枚の全画像データに対して１領域ずつ輝度値を比較していく処理は、撮像装置１０から画像合成部への画像データ量が膨大になり、記憶部に必要な記憶容量、すなわちシステムの膨大化につながる。また、画像読取装置１における読取命令から画像取得（画像合成後）までの処理時間もかかってしまう。
【００３１】
（第１実施形態）
次に、第１実施形態にかかる画像読取装置２について説明する。図５は、第１実施形態にかかる画像読取装置２の構成の概要を例示するブロック図である。図５に示すように、画像読取装置２は、撮像装置１０、第１ＬＥＤ１２、第２ＬＥＤ１４、制御部２０、記憶部２２及び画像合成部２４を有する。制御部２０は、ＣＰＵ２００を備え、画像読取装置２を構成する各部を制御する。
【００３２】
なお、図５に示した画像読取装置２の構成部分のうち、画像読取装置１（図１）に示した構成部分と実質的に同じものには、同一の符号が付してある。また、画像読取装置２は、図示しない載置台１６を備えていてもよく、例えば撮像装置１０、第１ＬＥＤ１２、第２ＬＥＤ１４及び載置台１６が画像読取装置１と同様に配置されている。より具体的には、画像読取装置２は、光学条件として、一方の光源（例えば第１ＬＥＤ１２）による正反射箇所に必要な光量を、他方の光源（例えば第２ＬＥＤ１４）から照射できるように、第１ＬＥＤ１２及び第２ＬＥＤ１４の設置位置、照射角度及び光量が予め定められている。同様に、他方の光源（例えば第２ＬＥＤ１４）による正反射箇所に必要な光量を、一方の光源（例えば第１ＬＥＤ１２）から照射できるようにされている。
【００３３】
画像読取装置２は、図示しない操作ボタンやアプリケーション等によるユーザからの命令を受けて、制御部２０が撮像装置１０を制御する。撮像装置１０は、所定のタイミングで入射された原稿（読取対象）からの反射光を光電変換してＡ/Ｄ変換した画像データＤ１（Ｎ，Ｍ）、Ｄ２（Ｎ，Ｍ）を出力する。撮像装置１０は、後述する部分読取画像Ｄ１（Ｎ／２，Ｍ）と、部分読取画像Ｄ２（Ｎ／２，Ｍ）とを出力するように構成されてもよい。
【００３４】
画像データＤ１（Ｎ，Ｍ）は、第１ＬＥＤ１２が光を照射した時のｘ方向サイズがＮ、ｙ方向のサイズがＭの画像データとする。画像データＤ２（Ｎ，Ｍ）は、第２ＬＥＤ１４が光を照射した時のｘ方向サイズがＮ、ｙ方向のサイズがＭの画像データとする。
【００３５】
画像合成部２４は、所定のタイミングで部分読取画像Ｄ１（Ｎ／２，Ｍ）と部分読取画像Ｄ２（Ｎ／２，Ｍ）とを合成する合成処理（図７等を用いて後述）を行い、合成画像データＤｍ（Ｎ，Ｍ）として後段に出力する。
【００３６】
合成処理においては、画像合成部２４が２枚の部分読取画像Ｄ１（Ｎ／２，Ｍ）と、部分読取画像Ｄ２（Ｎ／２，Ｍ）とを使用するため、記憶部２２が１枚目の部分読取画像Ｄ１（Ｎ／２，Ｍ）を記憶して所定のタイミングで画像合成部２４に対して出力する。制御部２０は、第１ＬＥＤ１２及び第２ＬＥＤ１４に対して所定のタイミングで点灯信号を出力し、第１ＬＥＤ１２及び第２ＬＥＤ１４を個別に点灯させる。
【００３７】
次に、画像読取装置２の動作について説明する。図６は、画像読取装置２が画像を読取る場合の動作例を示すフローチャートである。図７は、第１ＬＥＤ１２及び第２ＬＥＤ１４が個別に均一原稿（光沢）に対して光を照射した場合に、画像合成部２４が行う合成処理を読取画像の主走査方向の画素毎の画像レベルによって示すグラフである。
【００３８】
図６に示すように、画像読取装置２は、まず、原稿の読取開始時に第１ＬＥＤ１２を点灯する（Ｓ２００）。その状態で、撮像装置１０が原稿を撮像し、記憶部２２が読取画像（画像データ）を蓄積する（Ｓ２０２）。ここで、撮像装置１０が撮像した画像データＤ１（Ｎ，Ｍ）は、第１ＬＥＤ１２が光を照射した時のｘ方向のサイズがＮ、ｙ方向のサイズがＭの原稿サイズの画像データとする。撮像装置１０は、図７（ａ）に示したように、画像レベルが正反射光の影響をあまり受けていない主走査方向後端側（右側）の半分の画像データのみを記憶部２２に対して出力するように構成されてもよい。記憶部２２は、画像レベルが正反射光の影響をあまり受けていない（正反射光による画像レベルの変化が小さい）と予め定められた主走査方向後端側（右側）の半分（第１領域）の部分読取画像Ｄ１（Ｎ／２，Ｍ）のみを記憶する。つまり、記憶部２２は、撮像装置１０が撮像した全領域の画像データＤ１（Ｎ，Ｍ）に対して半分（（Ｎ／２）×Ｍ）の記憶容量であってもよい。
【００３９】
画像読取装置２は、撮像後、第１ＬＥＤ１２を消灯し（Ｓ２０４）、第２ＬＥＤ１４を点灯する（Ｓ２０６）。
【００４０】
その状態で、画像読取装置２は、撮像装置１０が原稿を撮像し、撮像した読取画像を画像合成部２４に対して出力する（Ｓ２０８）。ここで、撮像装置１０が撮像した画像データＤ２（Ｎ，Ｍ）は、第２ＬＥＤ１４が光を照射した時のｘ方向のサイズがＮ、ｙ方向のサイズがＭの原稿サイズの画像データとする。撮像装置１０は、図７（ｂ）に示したように、画像レベルが正反射光の影響をあまり受けていないと予め定められた主走査方向先端側（左側）の半分（第２領域）の部分読取画像Ｄ２（Ｎ／２，Ｍ）のみを画像合成部２４に対して出力するように構成されてもよい。
【００４１】
撮像後、画像読取装置２は、第２ＬＥＤ１４を消灯する（Ｓ２１０）。
【００４２】
そして、画像読取装置２は、記憶部２２が記憶した主走査方向後端側（右側）の半分の画像データと、撮像装置１０が出力した画像データの主走査方向先端側（左側）の半分の画像データとを結合させる合成処理を行い、読取処理を終了する（Ｓ２１２）。画像読取装置２が合成した合成画像データＤｍ（Ｎ，Ｍ）は、下式２，３によって示される。
【００４３】
【数２】
2016032219.tif 000004
【数３】
2016032219.tif 000005
【００４４】
以下、撮像装置１０が撮像した読取画像の中で、第１ＬＥＤ１２が光を照射した時に画像レベルが正反射光の影響をあまり受けていないと予め定められた領域を第１領域と記すことがある。また、撮像装置１０が撮像した読取画像の中で、第２ＬＥＤ１４が光を照射した時に画像レベルが正反射光の影響をあまり受けていないと予め定められた領域を第２領域と記すことがある。
【００４５】
画像合成部２４は、原稿を複数に分割した重複のない領域毎の部分読取画像を結合させることにより、読取対象に対応する読取画像を合成している。つまり、画像読取装置２は、部分読取画像Ｄ１（Ｎ／２，Ｍ）と、部分読取画像Ｄ２（Ｎ／２，Ｍ）とを結合させて読取画像を合成することにより（図７（ｃ）参照）、処理量を低減して、光源の正反射光の影響を低減した画像を高速、且つ少ない記憶容量で読み取ることができる。
【００４６】
また、画像読取装置２は、上述した第１領域及び第２領域に重複する領域ができるように構成されてもよい。この場合、画像読取装置２は、第１領域及び第２領域の重複する領域において、第１領域の部分読取画像Ｄ１（Ｎ／２，Ｍ）の画像レベルと、第２領域の部分読取画像Ｄ２（Ｎ／２，Ｍ）の画像レベルとの平均値を画像合成部２４が算出して読取画像の合成を行うように構成されてもよい。画像合成部２４が第１領域及び第２領域の重複する領域において画像レベルの平均値を算出すると、２つの画像のつなぎ目で画像レベルが急峻に変化してしまうことを低減することができる。
【００４７】
（第２実施形態）
次に、第２実施形態にかかる画像読取装置３について説明する。図８は、第２実施形態にかかる画像読取装置３の構成の概要を例示するブロック図である。図８に示すように、画像読取装置３は、撮像装置１０、第１ＬＥＤ１２、第２ＬＥＤ１４、制御部３０、第１記憶部３２、画像合成部３４、第２記憶部３６及びレベル補正部３８を有する。制御部３０は、ＣＰＵ３００を備え、画像読取装置３を構成する各部を制御する。なお、図８に示した画像読取装置３の構成部分のうち、上述した画像読取装置１，２に示した構成部分と実質的に同じものには、同一の符号が付してある。
【００４８】
画像読取装置３は、図示しない操作ボタンやアプリケーション等によるユーザからの命令を受けて、制御部３０が撮像装置１０を制御する。撮像装置１０は、所定のタイミングで入射された原稿からの反射光を光電変換してＡ／Ｄ変換した画像データＤ１（Ｎ，Ｍ）、Ｄ２（Ｎ，Ｍ）を出力する。上述したように、撮像装置１０は、後述する部分読取画像Ｄ１（Ｎ／２，Ｍ）と、部分読取画像Ｄ２（Ｎ／２，Ｍ）とを出力するように構成されてもよい。
【００４９】
画像合成部３４は、所定のタイミングで部分読取画像Ｄ１（Ｎ／２，Ｍ）と部分読取画像Ｄ２（Ｎ／２，Ｍ）とを結合する合成処理を行い、合成画像データＤｍ（Ｎ，Ｍ）として後段に出力する。
【００５０】
合成処理においては、画像合成部３４が２枚の部分読取画像Ｄ１（Ｎ／２，Ｍ）と、部分読取画像Ｄ２（Ｎ／２，Ｍ）とを使用するため、第１記憶部３２が１枚目の部分読取画像Ｄ１（Ｎ／２，Ｍ）を記憶して所定のタイミングで画像合成部３４に対して出力する。制御部３０は、第１ＬＥＤ１２及び第２ＬＥＤ１４に対して所定のタイミングで点灯信号を出力し、第１ＬＥＤ１２及び第２ＬＥＤ１４を個別に点灯させる。
【００５１】
画像合成部３４が部分読取画像Ｄ１（Ｎ／２，Ｍ）と部分読取画像Ｄ２（Ｎ／２，Ｍ）とを結合する合成処理を行う場合、例えば図７（ｃ）にも示したように、画像レベルに変動があり、画像のつなぎ目では画像レベルの変動が急峻となる場合がある。つまり、値によっては画像にムラやスジが発生してしまう可能性がある。
【００５２】
そこで、画像読取装置３は、レベル補正部３８によって合成後の画像のレベル補正を行う。画像読取装置３は、レベル補正を行う場合、例えば読取原稿とは別の基準チャートを読取る。基準チャートは、撮像装置１０に対して基準となる反射光を生じさせるものである。基準チャートは、画像読取装置３に載置台１６が設けられている場合には、載置台１６の背景板であってもよい。ただし、基準チャートは、第１ＬＥＤ１２及び第２ＬＥＤ１４が光を照射しても、読取画像において正反射光による画像レベルの変化を生じさせない材質（光沢度）、濃度のものである必要がある。
【００５３】
画像読取装置３は、製造される工程や電源ＯＮ時等に、基準チャートを撮像装置１０によって撮像し、画像合成部３４による合成を行って、合成後の基準データＤｍｒ（Ｎ，Ｍ）を第２記憶部３６に記憶させておく。第２記憶部３６は、例えば不揮発性メモリ等である。
【００５４】
レベル補正部３８は、合成画像データＤｍ（Ｎ，Ｍ）と、基準データＤｍｒ（Ｎ，Ｍ）とを用いて、後述するように読取画像の画像レベルを補正する。
【００５５】
図９は、第１ＬＥＤ１２及び第２ＬＥＤ１４が個別に基準チャートに対して光を照射した場合に、画像合成部３４が行う合成処理と、レベル補正部３８が行うレベル補正とを読取画像の主走査方向の画素毎の画像レベルによって示すグラフである。
【００５６】
図９（ａ）は、基準チャートに対して第１ＬＥＤ１２が光を照射した場合に、撮像装置１０が撮像した画像データＤｒ１（ｘ，ｙ）の主走査方向の画像レベルの分布を示している。図９（ｂ）は、基準チャートに対して第２ＬＥＤ１４が光を照射した場合に、撮像装置１０が撮像した画像データＤｒ２（ｘ，ｙ）の主走査方向の画像レベルの分布を示している。図９（ｃ）は、画像合成部３４が画像データＤｒ１（ｘ，ｙ）と画像データＤｒ２（ｘ，ｙ）とを用いて合成処理を行った基準データＤｍｒ（ｘ，ｙ）の主走査方向の画像レベルの分布を示している。図９（ｄ）は、レベル補正部３８が基準データＤｍｒ（ｘ，ｙ）を用いて、例えば図７（ｃ）に示した合成画像データＤｍ（ｘ，ｙ）を正規化したレベル補正後データＤｃ（Ｎ，Ｍ）の主走査方向の画像レベルの分布を示している。
【００５７】
レベル補正部３８は、基準データＤｍｒと原稿データＤｍとを用いて、下式４によりレベル補正後データＤｃを生成する。
【００５８】
【数４】
2016032219.tif 000006
【００５９】
なお、ｋは、正規化後の値に対して、特定箇所がある目標レベルになるように調整するための係数である。画像読取装置３は、レベル補正部３８によって画像レベルのばらつきを低減し、画像レベルを目標レベルに調整する補正を行うことにより、図９（ｄ）に示したレベル補正後データＤｃ（Ｎ，Ｍ）を読取画像として出力することが可能となる。また、画像読取装置３がカラースキャナであってＲｅｄ／Ｇｒｅｅｎ／Ｂｌｕｅの画像データを出力するものである場合、色毎に上述した処理を行う。
【００６０】
次に、画像読取装置２を有する画像形成装置４００について説明する。図１０は、実施形態にかかる画像形成装置４００の構成例を示す構成図である。画像形成装置４００は、給紙部４０３及び画像形成装置本体４０４を有し、上部に例えば画像読取装置２が搭載されたデジタル複写機である。
【００６１】
画像形成装置本体４０４内には、タンデム方式の作像部４０５と、給紙部４０３から搬送路４０７を介して供給される記録紙を作像部（画像形成部）４０５に搬送するレジストローラ４０８と、光書き込み装置４０９と、定着搬送部４１０と、両面トレイ４１１とが設けられている。
【００６２】
作像部４０５には、Ｙ，Ｍ，Ｃ，Ｋの４色のトナーに対応して４本の感光体ドラム４１２が並設されている。各感光体ドラム４１２の回りには、帯電器、現像器４０６、転写器、クリーナ、及び除電器を含む作像要素が配置されている。
【００６３】
また、転写器と感光体ドラム４１２との間には両者のニップに挟持された状態で駆動ローラと従動ローラとの間に張架された中間転写ベルト４１３が配置されている。
【００６４】
このように構成されたタンデム方式の画像形成装置４００は、Ｙ，Ｍ，Ｃ，Ｋの色毎に各色に対応する感光体ドラム４１２に光書き込みを行い、現像器４０６で各色のトナー毎に現像し、中間転写ベルト４１３上に例えばＹ，Ｍ，Ｃ，Ｋの順に１次転写を行う。
【００６５】
そして、画像形成装置４００は、１次転写により４色重畳されたフルカラーの画像を記録紙に２次転写した後、定着して排紙することによりフルカラーの画像を記録紙上に形成する。また、画像形成装置４００は、画像読取装置２が読取った画像を記録紙上に形成する。
【００６６】
以上、各実施形態について説明したが、それらの各部の具体的な構成、処理の内容、データの形式等は、実施形態で説明したものに限るものではない。また、以上説明してきた実施形態の構成は、相互に矛盾しない限り任意に組み合わせて実施可能であることは勿論である。
【符号の説明】
【００６７】
１、２、３  画像読取装置
１０  撮像装置
１２  第１ＬＥＤ
１４  第２ＬＥＤ
１６  載置台
２０、３０  制御部
２２  記憶部
２４、３４  画像合成部
３２  第１記憶部
３６  第２記憶部
３８  レベル補正部
４００  画像形成装置
４０５  作像部（画像形成部）
【先行技術文献】
【特許文献】
【００６８】
【特許文献１】特開２０１０−０７４７２５号公報
【図１】
2016032219.tif 000007
【図２】
2016032219.tif 000008
【図３】
2016032219.tif 000009
【図４】
2016032219.tif 000010
【図５】
2016032219.tif 000011
【図６】
2016032219.tif 000012
【図７】
2016032219.tif 000013
【図８】
2016032219.tif 000014
【図９】
2016032219.tif 000015
【図１０】
2016032219.tif 000016